(57)【要約】  本発明のモータの一つの態様は、中心軸を中心として回転するシャフトを有するロータと、ロータと径方向に隙間を介して対向するステータと、ロータおよびステータを収容するケースと、ケースに設けられるコネクタ部と、ケースの内部と外部とを繋ぐ呼吸孔を有するブリーザと、を備える。コネクタ部は、軸方向に延びる軸方向延伸部を有し、ブリーザは、軸方向延伸部の側面に設けられる。
2019198514.tif 000002
【特許請求の範囲】
【請求項１】
中心軸を中心として回転するシャフトを有するロータと、
前記ロータと径方向に隙間を介して対向するステータと、
前記ロータおよび前記ステータを収容するケースと、
前記ケースに設けられるコネクタ部と、
前記ケースの内部と外部とを繋ぐ呼吸孔を有するブリーザと、
を備え、
前記コネクタ部は、軸方向に延びる軸方向延伸部を有し、
前記ブリーザは、前記軸方向延伸部の側面に設けられる、モータ。
【請求項２】
前記コネクタ部は、前記ケースから軸方向と直交する突出方向に延びる突出方向延伸部を有し、
前記軸方向延伸部は、前記突出方向延伸部の先端部から軸方向一方側に延び、
前記ブリーザは、前記軸方向延伸部の軸方向他方側の端部に設けられ、前記突出方向に沿って視て前記突出方向延伸部と重なる、請求項１に記載のモータ。
【請求項３】
前記コネクタ部は、
前記コネクタ部の外側面に開口する第１孔部と、
前記第１孔部と繋がり、前記ケースの内部まで延びる第２孔部と、
を有し、
前記ブリーザは、
前記第１孔部に通される筒状部と、
前記ケースの外部に位置し、前記筒状部よりも外径が大きい大径部と、
を有し、
前記呼吸孔は、前記大径部に設けられ、前記第２孔部と前記筒状部の内部とを介して前記ケースの内部と外部とを繋ぐ、請求項１または２に記載のモータ。
【請求項４】
前記ステータと電気的に接続されるバスバーと、
前記バスバーを保持する樹脂製のバスバーホルダと、
をさらに備え、
前記バスバーホルダは、
前記ケースの径方向外側面の一部を構成する環状部と、
前記環状部の径方向外側面に設けられた前記コネクタ部と、
を有し、
前記バスバーは、前記コネクタ部を介して前記ケースの外部に露出する端子部を有する、請求項１から３のいずれか一項に記載のモータ。
【請求項５】
前記コネクタ部は、前記軸方向延伸部の側面に設けられる端子固定部を有し、
前記端子固定部は、軸方向一方側に開口する開口部を有し、
前記ブリーザは、前記端子固定部の軸方向他方側に位置する、請求項１から４のいずれか一項に記載のモータ。
【請求項６】
請求項１から５のいずれか一項に記載のモータと、
前記モータによって駆動されるポンプ部と、
を備えるポンプ装置。
【発明の詳細な説明】
【技術分野】
【０００１】
本発明は、モータ、およびポンプ装置に関する。
【背景技術】
【０００２】
ケースの内部と外部とを繋ぐ呼吸孔を有するブリーザを備えるモータが知られる。例えば、特許文献１には、ブリーザとして通気パイプを備えるモータが記載される。
【先行技術文献】
【特許文献】
【０００３】
【特許文献１】特開２００７−６６１７号公報
【発明の概要】
【発明が解決しようとする課題】
【０００４】
上記のようなモータにおいてブリーザは、例えば、ケースに設けられる。しかし、この場合、ブリーザを取り付ける構造を設けるために、ケースが大型化する場合があった。これにより、モータ全体が大型化する場合があった。【０００５】
本発明は、上記問題点に鑑みて、ブリーザを備えるモータであって、大型化することを抑制できる構造を有するモータ、およびそのようなモータを備えるポンプ装置を提供することを目的の一つとする。
【課題を解決するための手段】
【０００６】
本発明のモータの一つの態様は、中心軸を中心として回転するシャフトを有するロータと、前記ロータと径方向に隙間を介して対向するステータと、前記ロータおよび前記ステータを収容するケースと、前記ケースに設けられるコネクタ部と、前記ケースの内部と外部とを繋ぐ呼吸孔を有するブリーザと、を備える。前記コネクタ部は、軸方向に延びる軸方向延伸部を有する。前記ブリーザは、前記軸方向延伸部の側面に設けられる。【０００７】
本発明のポンプ装置の一つの態様は、上記のモータと、前記モータによって駆動されるポンプ部と、を備える。
【発明の効果】
【０００８】
本発明の一つの態様によれば、ブリーザを備えるモータが大型化することを抑制できる。
【図面の簡単な説明】
【０００９】
【図１】図１は、本実施形態のポンプ装置を示す斜視図である。
【図２】図２は、本実施形態のポンプ装置を上側から視た図である。
【図３】図３は、本実施形態のポンプ装置を示す図であって、図２におけるIII−III断面を部分的に示す図である。
【図４】図４は、本実施形態のポンプ装置の一部を示す図であって、図２におけるIV−IV断面図である。
【発明を実施するための形態】
【００１０】
各図においてＺ軸方向は、正の側を上側とし、負の側を下側とする上下方向である。各図に適宜示す仮想軸である中心軸Ｊの軸方向は、Ｚ軸方向、すなわち上下方向と平行である。Ｘ軸方向は、Ｚ軸方向と直交する方向である。Ｙ軸方向は、Ｚ軸方向およびＸ軸方向の両方と直交する方向である。以下の説明においては、中心軸Ｊの軸方向と平行な方向を単に「軸方向Ｚ」と呼び、Ｘ軸方向と平行な方向を「幅方向Ｘ」と呼び、Ｙ軸方向と平行な方向を「突出方向Ｙ」と呼ぶ。また、Ｘ軸方向の正の側を「幅方向一方側」と呼び、Ｘ軸方向の負の側を「幅方向他方側」と呼ぶ。また、特に断りのない限り、中心軸Ｊを中心とする径方向を単に「径方向」と呼び、中心軸Ｊを中心とする周方向を単に「周方向」と呼ぶ。
【００１１】
本実施形態において、上側は、軸方向一方側に相当し、下側は、軸方向他方側に相当する。なお、上側および下側とは、単に各部の相対位置関係を説明するための名称であり、実際の配置関係等は、これらの名称で示される配置関係等以外の配置関係等であってもよい。
【００１２】
図１から図４に示す本実施形態のポンプ装置１０は、例えば、オイルを送る電動オイルポンプである。図３に示すように、ポンプ装置１０は、被取付体Ｂに取り付けられる。被取付体Ｂは、例えば、車両における駆動部の筐体である。被取付体Ｂは、凹部Ｂａと、インポートＢｂと、図示しないアウトポートと、溝部Ｂｃと、穴部Ｂｄと、を有する。凹部Ｂａは、被取付体Ｂの上側の面から下側に窪む。図示は省略するが、凹部Ｂａ内側面は、軸方向Ｚに沿って視て、例えば、中心軸Ｊを中心とする円形状である。インポートＢｂは、凹部Ｂａの底面に開口する。インポートＢｂは、中心軸Ｊに対して径方向にずれた位置に位置する。図示は省略するが、アウトポートは、インポートＢｂと異なる位置において、凹部Ｂａの内側面に開口する。ポンプ装置１０は、後述するポンプ部１２によってインポートＢｂからオイルを吸入し、アウトポートからオイルを吐出する。
【００１３】
溝部Ｂｃは、被取付体Ｂの上側の面のうち凹部Ｂａよりも径方向外側の部分から下側に窪む。図示は省略するが、溝部Ｂｃは、軸方向Ｚに沿って視て、凹部Ｂａを囲む環状である。溝部Ｂｃには、環状のＯリングＢｅが嵌め込まれる。
【００１４】
穴部Ｂｄは、被取付体Ｂの上側の面のうち凹部Ｂａよりも径方向外側の部分から下側に窪む。本実施形態において穴部Ｂｄは、被取付体Ｂの上側の面のうち溝部Ｂｃよりも径方向外側の部分から下側に窪む。本実施形態において穴部Ｂｄは、例えば、２つ設けられる。２つの穴部Ｂｄは、中心軸Ｊを径方向に挟んで互いに反対側に位置する。
【００１５】
ポンプ装置１０は、モータ１１と、モータ１１によって駆動されるポンプ部１２と、を備える。ポンプ部１２は、インナーロータ１２ａと、インナーロータ１２ａの径方向外側に位置するアウターロータ１２ｂと、インナーロータ１２ａおよびアウターロータ１２ｂを収容するポンプ室１２ｃと、を有する。インナーロータ１２ａおよびアウターロータ１２ｂは、ポンプギアであり、互いに噛み合う。
【００１６】
モータ１１は、インナーロータ１２ａを回転させてポンプ部１２を駆動する。図３および図４に示すように、モータ１１は、ロータ１３と、ステータ１４と、ハウジング２０と、バスバーホルダ３０と、バスバー７０と、ブリーザ５０と、回路基板６０と、インバータ６１と、コンデンサ６２と、カバー４０と、を備える。
【００１７】
図１に示すように、本実施形態においては、ハウジング２０とバスバーホルダ３０における後述するバスバーホルダ本体部３１とカバー４０とによって、ケース１５が構成される。すなわち、モータ１１は、ハウジング２０、バスバーホルダ本体部３１およびカバー４０を有するケース１５を備える。図３に示すように、ケース１５は、ロータ１３、ステータ１４、回路基板６０、インバータ６１およびコンデンサ６２を収容する。
【００１８】
ロータ１３は、シャフト１３ａと、ロータ本体部１３ｂと、を有する。シャフト１３ａは、中心軸Ｊを中心として回転する。本実施形態においてシャフト１３ａは、中心軸Ｊを中心として軸方向Ｚに延びる円柱状である。シャフト１３ａの下側の端部には、インナーロータ１２ａが固定される。ロータ本体部１３ｂは、シャフト１３ａの外周面に固定される。図示は省略するが、ロータ本体部１３ｂは、ロータコアと、ロータマグネットと、を有する。
【００１９】
ステータ１４は、ロータ１３と径方向に隙間を介して対向する。ステータ１４は、ロータ１３の径方向外側に位置する。図示は省略するが、ステータ１４は、ステータコアと、ステータコアに装着された複数のコイルと、を有する。
【００２０】
ハウジング２０は、被取付体Ｂに固定される。ハウジング２０は、ハウジング本体部２１と、フランジ部２２と、ポンプカバー部２３と、を有する。図１および図３に示すように、ハウジング本体部２１は、軸方向Ｚに延びる筒状である。より詳細には、ハウジング本体部２１は、中心軸Ｊを中心とする円筒状であり、軸方向両側に開口する。図３に示すように、ハウジング本体部２１は、ロータ１３、ステータ１４およびポンプ部１２を収容する。ハウジング本体部２１は、凹部Ｂａに収容される。
【００２１】
フランジ部２２は、ハウジング本体部２１の上側の端部から径方向外側に突出する。フランジ部２２は、被取付体Ｂの上側の面に固定される。フランジ部２２の下側の面は、被取付体Ｂの上側の面と接触する。フランジ部２２は、フランジ部本体２２ａと、取付部２２ｂと、を有する。図１に示すように、フランジ部本体２２ａは、中心軸Ｊを中心とする略円環状である。図３に示すように、フランジ部本体２２ａの下側の面は、溝部Ｂｃの上側の開口を閉塞する。フランジ部本体２２ａの下側の面には、ＯリングＢｅが接触する。これにより、ＯリングＢｅは、フランジ部２２の下側の面と被取付体Ｂの上側の面との間を封止する。
【００２２】
取付部２２ｂは、フランジ部本体２２ａから径方向外側に突出する。図２に示すように、本実施形態において取付部２２ｂは、周方向に沿って３つ設けられる。各取付部２２ｂは、ネジによって被取付体Ｂの上側の面に固定される。本実施形態においてハウジング本体部２１とフランジ部２２とは、同一の単一部材の一部である。
【００２３】
図３に示すように、ポンプカバー部２３は、ハウジング本体部２１の下側の端部にネジで固定される。ポンプカバー部２３は、ポンプカバー部本体２３ａと、突出部２３ｂと、を有する。ポンプカバー部本体２３ａは、中心軸Ｊを中心とする円板状である。ポンプカバー部本体２３ａは、ハウジング本体部２１の下側の開口を閉塞する。突出部２３ｂは、ポンプカバー部本体２３ａから下側に突出する。突出部２３ｂは、軸方向両側に開口する円筒状である。突出部２３ｂは、中心軸Ｊに対して径方向にずれた位置に位置する。
【００２４】
突出部２３ｂは、インポートＢｂに挿入される。インポートＢｂから突出部２３ｂの内部を介してポンプ部１２にオイルが吸入される。突出部２３ｂの外周面には、環状のＯリング２３ｃが装着される。Ｏリング２３ｃは、突出部２３ｂの外周面と、インポートＢｂの内周面との間を封止する。
【００２５】
ハウジング２０は、ピン部２４をさらに有する。ピン部２４は、フランジ部２２の下側の面から下側に突出する。本実施形態においてピン部２４は、例えば、円柱状である。本実施形態においてピン部２４は、例えば、２つ設けられる。２つのピン部２４は、中心軸Ｊを径方向に挟んで互いに反対側に位置する。ピン部２４は、それぞれ穴部Ｂｄに嵌め合わされる。これにより、ハウジング２０を被取付体Ｂに対して周方向および径方向に精度よく位置決めすることができる。したがって、ハウジング本体部２１が凹部Ｂａ内において周方向および径方向に移動すること、および突出部２３ｂがインポートＢｂ内において周方向および径方向に移動することを抑制できる。
【００２６】
バスバーホルダ３０は、ハウジング２０の上側に固定される。図４に示すように、バスバーホルダ３０は、バスバー７０を保持する。本実施形態においてバスバーホルダ３０は、樹脂製である。バスバーホルダ３０は、例えば、バスバー７０をインサート部材としたインサート成形によって作られる。バスバーホルダ３０は、バスバーホルダ本体部３１と、コネクタ部３２と、を有する。すなわち、モータ１１は、バスバーホルダ本体部３１と、コネクタ部３２と、を備える。
【００２７】
バスバーホルダ本体部３１は、底部３１ａと、環状部３１ｂと、支持部３１ｃと、を有する。すなわち、バスバーホルダ３０は、底部３１ａと、環状部３１ｂと、支持部３１ｃと、を有する。底部３１ａは、径方向に拡がる略円板状である。図示は省略するが、底部３１ａの径方向外縁部は、フランジ部本体２２ａの上側の面とガスケットを介して接触する。環状部３１ｂは、底部３１ａの径方向外縁部から上側に突出する環状である。環状部３１ｂは、中心軸Ｊを囲む。環状部３１ｂの径方向外側面は、ケース１５の径方向外側面の一部である。すなわち、環状部３１ｂは、ケース１５の径方向外側面の一部を構成する。支持部３１ｃは、環状部３１ｂの径方向内側において底部３１ａから上側に突出する。図示は省略するが、支持部３１ｃは、例えば、複数設けられる。
【００２８】
コネクタ部３２には、例えば、ステータ１４に電力を供給する外部電源が接続される。コネクタ部３２は、環状部３１ｂの径方向外側面に設けられる。すなわち、コネクタ部３２は、ケース１５に設けられる。図２に示すように、本実施形態においてコネクタ部３２は、中心軸Ｊよりも幅方向他方側に位置する。図４に示すように、コネクタ部３２は、突出方向延伸部３２ａと、軸方向延伸部３２ｂと、端子固定部３２ｇと、を有する。突出方向延伸部３２ａは、環状部３１ｂから軸方向Ｚと直交する突出方向Ｙに延びる。すなわち、突出方向延伸部３２ａは、ケース１５から突出方向Ｙに延びる。
【００２９】
なお、以下の説明では、バスバーホルダ本体部３１とコネクタ部３２との突出方向Ｙの相対位置関係において、コネクタ部３２側、すなわちＹ軸方向の正の側を「突出方向外側」と呼び、バスバーホルダ本体部３１側、すなわちＹ軸方向の負の側を「突出方向内側」と呼ぶ。
【００３０】
軸方向延伸部３２ｂは、軸方向Ｚに延びる。本実施形態において軸方向延伸部３２ｂは、突出方向延伸部３２ａの先端部、すなわち突出方向外側の端部から上側に延びる。軸方向延伸部３２ｂは、接続凹部３２ｃを有する。接続凹部３２ｃは、軸方向延伸部３２ｂの上側の端部から下側に窪む。接続凹部３２ｃには、外部電源の端子が挿入される。
【００３１】
端子固定部３２ｇは、軸方向延伸部３２ｂの側面に設けられる。より詳細には、端子固定部３２ｇは、軸方向延伸部３２ｂの突出方向外側の面に設けられる。図１および図４に示すように、端子固定部３２ｇは、上側に開口する開口部３２ｉを有する角筒状である。図４に示すように、端子固定部３２ｇは、開口部３２ｉの内側面のうち突出方向外側の面から突出方向内側に突出する爪部３２ｈを有する。端子固定部３２ｇには、図示しない外部電源の端子に設けられた固定爪部が挿入される。固定爪部は、スナップフィットによって爪部３２ｈに下側から引っ掛かる。これにより、外部電源の端子がコネクタ部３２から抜けることが抑制され、外部電源の端子がコネクタ部３２に固定される。
【００３２】
コネクタ部３２は、連結穴部３２ｄと、第１孔部３２ｅと、第２孔部３２ｆと、をさらに有する。連結穴部３２ｄは、接続凹部３２ｃの底面から下側に窪む。連結穴部３２ｄは、底部を有する穴である。連結穴部３２ｄの下側の端部は、突出方向Ｙに沿って視て、突出方向延伸部３２ａと重なる。第１孔部３２ｅは、コネクタ部３２の外側面に開口する。第１孔部３２ｅは、軸方向延伸部３２ｂの下側の端部における突出方向外側の面から連結穴部３２ｄまでを突出方向Ｙに貫通する。第１孔部３２ｅの内径は、突出方向内側に向かうに従って小さくなる。第１孔部３２ｅの内周面は、テーパ面である。
【００３３】
第２孔部３２ｆは、連結穴部３２ｄの内側面から突出方向内側に窪み、突出方向延伸部３２ａの内部を通って環状部３１ｂの径方向内側面まで突出方向Ｙに延びる。これにより、第２孔部３２ｆは、連結穴部３２ｄを介して第１孔部３２ｅと繋がり、ケース１５の内部まで延びる。
【００３４】
本実施形態においてバスバー７０は、一部がバスバーホルダ３０に埋め込まれて保持される。バスバー７０は、細長い板状の部材である。バスバー７０は、例えば、複数設けられる。バスバー７０は、コネクタ部３２を介してケース１５の外部に露出する端子部７１を有する。端子部７１は、接続凹部３２ｃの底面から上側に突出し、接続凹部３２ｃの内部を介してケース１５の外部に露出する。端子部７１は、バスバー７０の一方側の端部である。バスバー７０は、端子部７１を介して、コネクタ部３２に接続される外部電源と電気的に接続される。図示は省略するが、バスバー７０の他方側の端部は、ケース１５の内部に露出し、回路基板６０と接続される。
【００３５】
ブリーザ５０は、コネクタ部３２に設けられる。より詳細には、ブリーザ５０は、軸方向延伸部３２ｂの側面に設けられる。本実施形態においてブリーザ５０は、軸方向延伸部３２ｂの下側の端部における突出方向外側の面に設けられる。ブリーザ５０は、突出方向Ｙに沿って視て、突出方向延伸部３２ａと重なる。ブリーザ５０は、端子固定部３２ｇの下側に位置する。ブリーザ５０は、筒状部５１と、大径部５２と、を有する。
【００３６】
筒状部５１は、突出方向Ｙに延び、突出方向両側に開口する円筒状である。筒状部５１は、第１孔部３２ｅに通される。筒状部５１は、本体部５１ａと、突出爪部５１ｂと、を有する。本体部５１ａは、第１孔部３２ｅに通される部分である。本体部５１ａの突出方向内側の端部は、連結穴部３２ｄの内部に挿入される。突出爪部５１ｂは、筒状部５１の径方向において、本体部５１ａの突出方向内側の端部から外側に突出する。突出爪部５１ｂは、連結穴部３２ｄの内側面に、スナップフィットによって突出方向内側から引っ掛けられる。これにより、筒状部５１が第１孔部３２ｅから抜けることを抑制でき、ブリーザ５０がコネクタ部３２から外れることを抑制できる。
【００３７】
大径部５２は、筒状部５１の突出方向外側の端部に繋がる。大径部５２は、筒状部５１よりも外径が大きい。大径部５２は、ケース１５の外部に位置する。大径部５２は、中空の部分である。大径部５２の内部は、筒状部５１の内部と繋がる。図１に示すように、大径部５２は、突出方向Ｙに沿って視て、円形状である。図４に示すように、大径部５２は、底壁部５２ａと、周壁部５２ｂと、天壁部５２ｃと、を有する。
【００３８】
底壁部５２ａは、筒状部５１の径方向において、筒状部５１の突出方向外側の端部から外側に拡がる円環板状である。底壁部５２ａは、底壁部５２ａを突出方向Ｙに貫通する呼吸孔５２ｅを有する。すなわち、ブリーザ５０は、呼吸孔５２ｅを有する。図示は省略するが、呼吸孔５２ｅは、周方向に沿って複数設けられる。
【００３９】
周壁部５２ｂは、底壁部５２ａの外周縁部から突出方向外側に突出する環状の壁部である。周壁部５２ｂは、周壁部５２ｂを筒状部５１の径方向に貫通する呼吸孔５２ｄを有する。すなわち、ブリーザ５０は、呼吸孔５２ｄを有する。図示は省略するが、呼吸孔５２ｄは、筒状部５１の中心軸を中心とする周方向に延びる。図示は省略するが、呼吸孔５２ｄは、筒状部５１の中心軸を中心とする周方向に沿って複数設けられる。天壁部５２ｃは、周壁部５２ｂの突出方向外側の端部に繋がる。
【００４０】
天壁部５２ｃは、板面が突出方向Ｙを向く円板状である。天壁部５２ｃの突出方向外側の端面は、ブリーザ５０の突出方向外側の端部である。天壁部５２ｃの突出方向外側の端面は、端子固定部３２ｇの突出方向外側の端部よりも僅かに突出方向内側に位置する。
【００４１】
呼吸孔５２ｄ，５２ｅは、ケース１５の内部と外部とを繋ぐ。本実施形態において呼吸孔５２ｄ，５２ｅは、大径部５２に設けられ、第２孔部３２ｆと連結穴部３２ｄと筒状部５１の内部と大径部５２の内部とを介してケース１５の内部と外部とを繋ぐ。このような呼吸孔５２ｄ，５２ｅを有するブリーザ５０が設けられるため、呼吸孔５２ｄ，５２ｅを介して、ケース１５の内部の空気を外部に抜くことができる。
【００４２】
また、例えば、ブリーザをバスバーホルダ本体部に設けるような場合、第１孔部を設けるためにバスバーホルダ本体部が軸方向Ｚに大型化しやすい。そのため、モータ全体が大型化しやすい。これに対して、本実施形態によれば、ブリーザ５０がコネクタ部３２に設けられるため、バスバーホルダ本体部３１が軸方向Ｚに大型化することを抑制でき、モータ１１全体が軸方向Ｚに大型化することを抑制できる。また、コネクタ部３２は、軸方向延伸部３２ｂを有するため、全体が突出方向Ｙに延びる場合に比べて、コネクタ部３２を突出方向Ｙに小型化しやすい。これにより、モータ１１全体を突出方向Ｙに小型化できる。したがって、ブリーザ５０を備えるモータ１１が大型化することを抑制できる。また、モータ１１を備えるポンプ装置１０が大型化することも抑制できる。
【００４３】
また、ブリーザ５０の形状等が変更された場合であっても、ブリーザ５０が取り付けられるコネクタ部３２の形状のみを変更すればよく、バスバーホルダ本体部３１等、ケース１５の形状を変更する必要がない。そのため、ブリーザ５０の形状等が変更された場合において、ポンプ装置１０の設計変更が容易である。
【００４４】
また、例えば、カバーが板部材をプレス加工して作られるような場合、カバーの厚さが薄くなる。そのため、カバーに単純に孔を設けたのみでは、上述したブリーザ５０のような形状のブリーザを取り付けにくい場合がある。このように、カバーにブリーザを取り付ける構造を持たせる場合、カバーの形状および製造方法の選択の幅が狭くなる虞がある。これに対して、本実施形態によれば、ブリーザ５０がコネクタ部３２に設けられるため、ブリーザ５０によってカバー４０の形状および製造方法が限定されることがなく、カバー４０の形状および製造方法の選択の幅を大きくできる。
【００４５】
また、本実施形態によれば、ブリーザ５０は、突出方向Ｙに沿って視て突出方向延伸部３２ａと重なる。そのため、第２孔部３２ｆを直線状に設けやすく、呼吸孔５２ｄ，５２ｅを介してケース１５の内部と外部とを繋ぐことを容易にできる。
【００４６】
また、本実施形態によれば、ブリーザ５０は、筒状部５１が第１孔部３２ｅに通されて取り付けられる。このような構成のブリーザ５０をカバー４０に設ける場合、上述したように、特にカバー４０の形状および製造方法の選択の幅が狭くなりやすい。したがって、ブリーザ５０が筒状部５１を介して第１孔部３２ｅに設けられるような構成において、ブリーザ５０をコネクタ部３２に設けることによる効果をより有用に得られる。
【００４７】
また、本実施形態によれば、ブリーザ５０は、端子固定部３２ｇの下側に位置する。言い換えると、ブリーザ５０は、軸方向Ｚに沿って視て、端子固定部３２ｇと重なる。そのため、軸方向延伸部３２ｂから突出方向Ｙに突出する端子固定部３２ｇの下側の空間をブリーザ５０の配置空間として利用することができ、モータ１１が突出方向Ｙに大型化することを抑制できる。
【００４８】
また、本実施形態によれば、ブリーザ５０の突出方向外側の端部は、端子固定部３２ｇの突出方向外側の端部よりも突出方向内側に位置する。そのため、端子固定部３２ｇを有するコネクタ部３２に対してブリーザ５０を設けても、ブリーザ５０を設けたことによってモータ１１の突出方向Ｙの寸法が大きくなることがない。したがって、モータ１１が大型化することをより抑制できる。
【００４９】
また、本実施形態によれば、コネクタ部３２は、樹脂製のバスバーホルダ３０に設けられる。そのため、コネクタ部３２を射出成形等により製造しやすく、ブリーザ５０を取り付ける構造をより容易に設けることができる。
【００５０】
ブリーザ５０には、Ｏリング５３が装着される。本実施形態においてＯリング５３は、本体部５１ａの突出方向外側の端部に装着される。Ｏリング５３は、本体部５１ａを囲む環状である。Ｏリング５３は、本体部５１ａの外周面と第１孔部３２ｅの内周面と底壁部５２ａの突出方向内側の面とに接触する。Ｏリング５３は、筒状部５１の外周面と第１孔部３２ｅの内周面との間を封止する。これにより、第１孔部３２ｅを介して水分等がケース１５の内部に浸入することを抑制できる。
【００５１】
図３に示すように、回路基板６０は、板面が軸方向Ｚを向く板状である。回路基板６０は、ステータ１４の上側に位置する。回路基板６０は、複数の支持部３１ｃによって下側から支持され、ネジによって複数の支持部３１ｃにそれぞれ固定される。これにより、回路基板６０は、バスバーホルダ３０に保持される。回路基板６０の上側の面は、環状部３１ｂよりも上側に位置する。
【００５２】
図示は省略するが、回路基板６０には、バスバー７０と異なる他のバスバーが接続される。他のバスバーは、ステータ１４の図示しないコイルから延びる導線と接続される。これにより、バスバー７０は、他のバスバーおよび回路基板６０を介して、ステータ１４と電気的に接続される。
【００５３】
インバータ６１は、回路基板６０に取り付けられる。本実施形態においてインバータ６１は、回路基板６０の下側の面に取り付けられる。インバータ６１は、複数のトランジスタ６１ａを有する。トランジスタ６１ａは、例えば、電界効果トランジスタである。インバータ６１は、上述した回路基板６０に接続される図示しない他のバスバーを介して、ステータ１４と電気的に接続される。
【００５４】
コンデンサ６２は、回路基板６０の上側の面に取り付けられる電子部品である。コンデンサ６２は、回路基板６０を介してインバータ６１と電気的に接続される。これにより、コンデンサ６２は、回路基板６０、インバータ６１、および上述した図示しない他のバスバーを介して、ステータ１４と電気的に接続される。
【００５５】
図２および図３に示すように、コンデンサ６２は、軸方向Ｚと直交する方向に延びる円柱状である。コンデンサ６２は、回路基板６０から上側に突出する。図２に示すように、本実施形態においてコンデンサ６２は、コンデンサ６２ａとコンデンサ６２ｂとの２つが設けられる。コンデンサ６２ａは、幅方向Ｘに延びる。コンデンサ６２ｂは、突出方向Ｙに延びる。コンデンサ６２ａとコンデンサ６２ｂとは、幅方向Ｘに並んで配置される。コンデンサ６２ｂは、突出方向Ｙに沿って視て、コネクタ部３２と重なる。
【００５６】
図３に示すように、カバー４０は、バスバーホルダ３０の上側に固定される。本実施形態においてカバー４０は、ダイカストによって作られる。カバー４０は、カバー本体部４０ａと、複数のフィン４４と、を有する。カバー本体部４０ａは、回路基板６０の上側を覆う。図２に示すように、カバー本体部４０ａは、軸方向Ｚに沿って視て、略円形状である。カバー本体部４０ａは、基部４１と、収容部４２と、固定部４３と、を有する。
【００５７】
基部４１は、突出方向Ｙに長い角丸の略長方形状である。図３に示すように、基部４１は、回路基板６０のうちコンデンサ６２が取り付けられる部分と異なる部分の上側を覆う部分である。基部４１は、下側に突出する接触部４１ａを有する。接触部４１ａは、軸方向Ｚに沿って視て、インバータ６１と重なる。
【００５８】
収容部４２は、基部４１よりも上側に突出し、コンデンサ６２の上側を覆う部分である。収容部４２の内部は、下側に開口し、ケース１５の内部の一部を構成する。コンデンサ６２の少なくとも一部は、収容部４２の内部に収容される。
【００５９】
このように、カバー本体部４０ａのうちの一部のみを上側に突出させて収容部４２とし、コンデンサ６２の少なくとも一部を収容することで、カバー本体部４０ａを小型化することができる。そのため、コンデンサ６２が比較的大きくなった場合であっても、カバー４０が大型化することを抑制でき、モータ１１が大型化することを抑制できる。したがって、モータ１１の出力を大きくしても、モータ１１が大型化することを抑制できる。また、これにより、ポンプ装置１０が大型化することも抑制できる。
【００６０】
また、例えば、コンデンサを回路基板の下側の面に取り付ける場合には、回路基板全体が本実施形態の回路基板６０よりも上側に位置する構成となりやすく、カバー本体部全体をより上側に位置させる必要が生じやすい。そのため、モータ全体がより大型化しやすい。これに対して、本実施形態によれば、コンデンサ６２は、回路基板６０の上側の面に取り付けられる。そのため、回路基板６０の軸方向位置をより下側に位置させることができ、かつ、カバー本体部４０ａのうちコンデンサ６２の上側を覆う部分のみを上側に突出させればよい。したがって、モータ１１全体が大型化することをより抑制できる。
【００６１】
また、本実施形態によれば、収容部４２に収容される電子部品は、コンデンサ６２である。コンデンサ６２は、回路基板６０に実装される電子部品のうちでも特に大きくなりやすい。そのため、コンデンサ６２を収容部４２に収容することで、モータ１１が大型化することをより抑制できる。
【００６２】
また、本実施形態によれば、カバー４０は、ダイカストによって作られる。そのため、板部材をプレス加工してカバー４０を作る場合に比べて、コンデンサ６２を収容するために必要最低限の容積を有する収容部４２を作りやすい。これにより、収容部４２の大きさを小さくしやすく、モータ１１全体が大型化することをより抑制できる。
【００６３】
本実施形態においては、コンデンサ６２の下側の端部を除く全体が収容部４２の内部に収容される。図２に示すように、収容部４２は、カバー本体部４０ａのうち突出方向Ｙにおけるコネクタ部３２側寄りの部分である。収容部４２は、全体として幅方向Ｘに延びる。収容部４２の幅方向一方側の端部は、基部４１の幅方向一方側の端部よりも幅方向他方側に離れた位置に位置する。収容部４２の幅方向他方側の端部は、基部４１の幅方向他方側の端部と幅方向Ｘにおいて同じ位置に位置する。
【００６４】
収容部４２は、第１収容部４２ａと、第２収容部４２ｂと、を有する。第１収容部４２ａは、収容部４２のうち幅方向一方側の部分である。第１収容部４２ａは、軸方向Ｚに沿って視て、幅方向Ｘに長い略長方形状である。第１収容部４２ａには、コンデンサ６２ａが収容される。第２収容部４２ｂは、収容部４２のうち幅方向他方側の部分である。第２収容部４２ｂは、軸方向Ｚに沿って視て、突出方向Ｙに長い略長方形状である。第２収容部４２ｂは、第１収容部４２ａよりも突出方向両側に突出する。第２収容部４２ｂには、コンデンサ６２ｂが収容される。
【００６５】
図３に示すように、固定部４３は、基部４１よりも下側に位置する部分である。固定部４３は、環状部３１ｂの上側の面にネジによって固定される。これにより、カバー４０とバスバーホルダ３０とが固定される。固定部４３の軸方向Ｚの位置は、回路基板６０の軸方向Ｚの位置とほぼ同じである。図２に示すように、固定部４３は、基部４１の幅方向両側と基部４１の突出方向両側とにそれぞれ設けられる。４つの固定部４３は、周方向に沿って設けられる。図示は省略するが、周方向に隣り合う固定部４３同士は、互いに繋がる。これにより、４つの固定部４３によって環状部３１ｂの上側の面と固定される環状の固定部が構成される。４つの固定部４３によって構成される環状の固定部は、例えば、ガスケットを介して環状部３１ｂの上側の面と接触する。
【００６６】
複数のフィン４４は、基部４１の上側の面に位置する。そのため、複数のフィン４４によって、回路基板６０から基部４１に伝わる熱を放出しやすい。これにより、回路基板６０の熱をポンプ装置１０の外部に逃がしやすくできる。また、上述したように、カバー本体部４０ａの一部のみを収容部４２として突出させたことで、フィン４４を設ける基部４１の面積を比較的大きく確保することができる。そのため、基部４１に設けられるフィン４４の数を多くできる。したがって、複数のフィン４４によって、より回路基板６０の熱をポンプ装置１０の外部に逃がしやすい。
【００６７】
複数のフィン４４は、突出方向Ｙに直線状に延びる。複数のフィン４４は、板面が幅方向Ｘを向く板状である。図３に示すように、複数のフィン４４の上側の端部は、収容部４２の上側の端部と軸方向Ｚにおいて同じ位置に位置する。そのため、モータ１１およびポンプ装置１０が軸方向Ｚに大型化することを抑制できる。なお、本明細書において「複数のフィンの上側の端部が、収容部の上側の端部と軸方向Ｚにおいて同じ位置に位置する」とは、複数のフィンの上側の端部が、収容部の上側の端部と軸方向Ｚにおいて略同じ位置に位置することも含む。図１および図２に示すように、複数のフィン４４は、フィン４４ａと、フィン４４ｂと、を含む。
【００６８】
フィン４４ａは、軸方向Ｚと直交する突出方向Ｙに延びて収容部４２と繋がるフィン４４である。フィン４４ａが収容部４２と繋がることで、フィン４４ａを介して基部４１と収容部４２とが繋がる。これにより、カバー４０の強度を向上させることができる。
【００６９】
フィン４４ａは、複数設けられる。複数のフィン４４ａは、収容部４２を突出方向Ｙに挟む一対のフィン４４ａを幅方向Ｘに沿って５組含む。フィン４４ａにおける収容部４２に繋がる側と逆側の端部は、カバー４０の突出方向Ｙの端部まで延びる。一対のフィン４４ａのうち最も幅方向他方側に位置する一対のフィン４４ａは、基部４１の幅方向他方側の端部に位置する。
【００７０】
フィン４４ｂは、最も幅方向一方側に位置するフィン４４である。フィン４４ｂは、基部４１の幅方向一方側の端部に位置する。フィン４４ｂは、収容部４２よりも幅方向一方側において突出方向Ｙに延びる。フィン４４ｂは、収容部４２と繋がらずに、カバー４０の突出方向一方側の端部から突出方向他方側の端部まで延びる。
【００７１】
図３に示すように、ポンプ装置１０は、回路基板６０に設けられた放熱部材６３をさらに備える。放熱部材６３は、例えば、放熱シートである。放熱部材６３は、回路基板６０の上側の面のうち軸方向Ｚに沿って視てインバータ６１と重なる部分と、基部４１の下側の面と、に接触する。これにより、放熱部材６３を介してインバータ６１の熱を基部４１に逃がすことができる。したがって、インバータ６１の熱を好適に逃がすことができる。このように、本実施形態では、インバータ６１が取り付けられる回路基板６０の面が、コンデンサ６２が取り付けられる回路基板６０の面と反対側の面であるため、放熱部材６３をコンデンサ６２と同じ側の回路基板６０の面に配置することができる。これにより、インバータ６１の熱を、基部４１を介して好適に放出できる。本実施形態においては、基部４１に複数のフィン４４が設けられるため、インバータ６１の熱をより好適にポンプ装置１０の外部に逃がすことができる。
【００７２】
本実施形態において放熱部材６３は、基部４１のうち下側に突出する接触部４１ａと接触する。そのため、基部４１のうち接触部４１ａ以外の部分の位置をある程度上側に位置させつつ、放熱部材６３を基部４１と接触させることができる。これにより、回路基板６０の上側の面に取り付けられる他の電子部品の配置空間を確保しつつ、インバータ６１の熱を逃がしやすくできる。
【００７３】
本発明は上述の実施形態に限られず、他の構成を採用することもできる。収容部に収容される電子部品は、ステータと電気的に接続される電子部品であれば、特に限定されず、コンデンサ以外の電子部品であってもよい。収容部に収容される電子部品は、例えば、インバータであってもよい。インバータは、回路基板の上側の面に取り付けられてもよい。放熱部材は、設けられなくてもよい。
【００７４】
カバーは、複数のフィンを有しなくてもよい。カバーは、板部材をプレス加工することによって作られてもよい。収容部は、複数設けられてもよい。収容部は、設けられなくてもよい。ハウジングは、ピン部を有しなくてもよい。コネクタ部は、ケースに設けられるならば、バスバーホルダ以外の部分に設けられてもよい。コネクタ部は、突出方向延伸部を有しなくてもよい。ブリーザの突出方向外側の端部は、端子固定部の突出方向外側の端部と突出方向Ｙにおいて同じ位置に位置してもよいし、端子固定部の突出方向外側の端部よりも突出方向外側に位置してもよい。ブリーザが設けられる位置は、軸方向延伸部の側面であれば、特に限定されない。ブリーザの構造は、ケースの内部と外部とを繋ぐ呼吸孔を有するならば、特に限定されない。
【００７５】
上述した実施形態のポンプ装置は、オイル以外の流体を送るポンプ装置であってもよい。上述した実施形態のポンプ装置の用途は、特に限定されない。上述した実施形態のモータの用途は、特に限定されず、ポンプ装置以外の機器に搭載されてもよい。本明細書において説明した各構成は、相互に矛盾しない範囲内において、適宜組み合わせることができる。
【００７６】
本出願は、２０１８年４月１３日に出願された日本出願である特願２０１８−０７７９７８号に基づく優先権を主張し、当該日本出願に記載された全ての記載内容を援用するものである。
【符号の説明】
【００７７】
１０…ポンプ装置、１１…モータ、１２…ポンプ部、１３…ロータ、１３ａ…シャフト、１４…ステータ、１５…ケース、３０…バスバーホルダ、３１ｂ…環状部、３２…コネクタ部、３２ａ…突出方向延伸部、３２ｂ…軸方向延伸部、３２ｅ…第１孔部、３２ｆ… 第２孔部、３２ｇ…端子固定部、３２ｉ…開口部、５０…ブリーザ、５１…筒状部、５２ …大径部、５２ｄ，５２ｅ…呼吸孔、７０…バスバー、７１…端子部、Ｊ…中心軸、Ｙ… 突出方向、Ｚ…軸方向
【図１】
2019198514.tif 000003
【図２】
2019198514.tif 000004
【図３】
2019198514.tif 000005
【図４】
2019198514.tif 000006
【国際調査報告】
2019198514.tif 000007
2019198514.tif 000008